(57)【要約】【課題】カードの長さのディメンションよりかなり大きな、装置の全体的なディメンションを形成するという欠点を解決する。【解決手段】本発明は、カードを接続するための装置（１０）を提案している。この装置は、上側カバー（１４）が水平の上側プレート（４６）を備えたケージング（１２，１４）と、カードを取り出すためのスプリング（１６）とを有している。このスプリングは、主突出ストランド（１６２）を有し、このストランドの動作端部（１６４）が、カード（Ｃ）の前側横エッジ（６０）と協働する装置において、前記突出スプリング（１６）の本体（１４２，１５４）は、前記カバー（１４，４６）上で、ケージの外側に位置されており、カバーの上側プレート（４６）は、主突出ストランド（１６２）の一部の通過のためのスロット（６６）を有している。【選択図】  図３
2005158745.tif 000002
【特許請求の範囲】
【請求項１】
カード（Ｃ）をコンタクトタイプのＩＣカード（Ｃ）に接続させるための装置（１０）であって、このカードは、下側主面（３２）に導電パッド（３４）を有し、かつ前側横エッジ（６０）と後側横エッジ（９０）とによって長手方向で境界付けされており、
キャビティ（３０）を規定しているケージング（１２，１４）を具備し、このキャビティの開口した後側エッジは、カード（Ｃ）を、後方から前方へと長手方向にキャビティ中へと、少なくとも部分的に導入可能であり、前記ケージングは、上面（２０）が上を向いた状態の絶縁材料で形成された下側プレート（１２）と、水平な上側プレート（４６）が設けられた上側カバー（１４）とを有しており、
前記下側プレート（１２）によって支持された電気的なコンタクト部材（３６）を具備し、これらコンタクト部材（３６）のコンタクト端部は、カード（Ｃ）のパッド（３４）と協働するように、前記キャビティ（３０）中へと、前記上面の上方に延びており、
前記キャビティからカードＣを取り出すためのスプリング（１６）を具備し、このスプリングは、主突出ストランド（１６２）を有し、このストランドの動作端部（１６４）は、前記キャビティ（３０）から後方へとカード（Ｃ）を押し出すように、カードの前側横エッジ（６０）の側面部と協働するように、キャビティ中に位置されており、
前記突出スプリング（１６，１６４）によってカード（Ｃ）に適用された突出力に抗して、キャビティ中のカードを保持するための手段（８０，７６）を具備する装置において、
前記突出スプリング（１６）の本体（１４２，１５４）は、前記カバー（１４，４６，４７）上でケージングの外側に位置されていることと、前記カバーの上側プレート（４６）は、ほぼ垂直方位の前記主突出ストランド（１６２）の一端部の通路のためのスロット（６６）を有し、このスロット中で、前記一端部は、ほぼ長手方向に移動可能であることとを特徴とする装置。
【請求項２】
前記突出スプリング（１６）は、螺旋状（１４２，１５４）に巻かれたスプリングであり、このスプリングの本体は、前記上側プレート（４６）の上面（４７）に隣接した、円環状の少なくとも１つの水平輪部を有していることを特徴とする請求項１の装置。
【請求項３】
前記突出スプリング（１６）の本体の、径方向で最も内側の輪部（１４２）の自由端部（１４４）が、前記上側プレート（４６）に取着されていることと、径方向で最も外側の輪部（１５４）の自由端部（１５６）が、前記主突出ストランド（１６２，１６４）を形成するように、直角部（１６０）の所で下方へと垂直に前記スロット（６６）を通って延ばされていることとを特徴とする請求項１又は２の装置。
【請求項４】
前記突出スプリング（１６）は、円形断面のワイヤーで形成されたスプリングであることを特徴とする請求項２又は３の装置。
【請求項５】
前記スロット（６６）は、端壁（７２）によって後方へと長手方向で境界付けされており、この端壁に対して、カードのない状態では、前記主突出ストランド（１６２，１６４）は、弾性的に支持されていることを特徴とする請求項１ないし４のいずれか１の装置。
【請求項６】
前記上側プレート（４６）は、裁断され、折り曲げられ、並びに/若しくは型打ちされた金属シートの一部であることを特徴とする、請求項１ないし５のいずれか１の装置。
【請求項７】
前記突出スプリング（１６）の本体の径方向で最も内側の輪部（１４２）の自由端部（１４４）は、前記上側プレート（４６）の受け体（１４６）中に取着されており、この受け体は、特にプランジボス（１４８，１５０，１５２）によって、前記上側プレート（４６）と一体的に形成されていることを特徴とする請求項３と組み合わされた請求項１ないし６のいずれか１の装置。
【請求項８】
前記上側プレート（４６）は、前記キャビティ（３０）中に、挿入位置でカード（Ｃ）を保持するための引込み可能な装置（７４，７６，８０）を有することを特徴とする、請求項１ないし７のいずれか１の装置。
【請求項９】
前記引込み可能な保持装置は、前記上側プレート（４６）の弾性変形可能なアーム（８０）によって支持されている保持リップ（７６）を有し、このアームは、カードの後側横エッジ（９０）に面するように常時置かれているストッパー（７８）を有し、前記保持リップ（７６）は、これを支持しているアーム（８０）の弾性変形によって、引込み位置に向けて移動可能であり、この引込み位置で、カードＣは、前記突出スプリング（１６）によって少なくとも部分的に長手方向に押し出され得ることを特徴とする請求項１ないし８のいずれか１の装置。
【請求項１０】
前記上側カバーは、上側プレートから下方に延び、互いに対向した水平な細長い２つのフランジ（１００，１０２）を有しており、また、前記下側プレート（１２）は、これらフランジ間に受けられており、そしてこれらフランジの互いに向き合う内面（１０１，１０３）が、前記キャビティ（３０）横方向で規定し、かつカード（Ｃ）のための細長いガイド面を構成していることを特徴とする請求項１ないし９のいずれか１の装置。
【請求項１１】
前記細長いフランジ（１００，１０２）の各々は、前記カバー（１４）を前記下側プレート（１２）に取着させるための手段（１１４，１１６，１１８，１２０）を有することを特徴とする請求項１ないし１０のいずれか１の装置。
【請求項１２】
前記カバー（１４）を前記下側プレート（１２）に取着させるための手段は、２つの互いに対向した横方向キー（１２２，１２４）を有し、各キーは、対応したフランジ（１００，１０２）のスロット（１１８，１２０）を通って延びており、また、各キーは、前記下側プレート（１２，２２，２４）に形成された相補的なホール（１２６，１２８）内で受けられていることを特徴とする請求項１ないし１１のいずれか１の装置。
【発明の詳細な説明】
【技術分野】
【０００１】
本発明は、チップカード、即ちスマートカードとよばれる、接触タイプのＩＣカードを、読み取り/書き込み装置に接続するための電気コネクタと呼ばれる装置に関する。
【０００２】
本発明は、特許文献１に説明、並びに示されたタイプの電気コネクタに、特に関する。
【背景技術】
【０００３】
上記の文献は、カードを、接触タイプのＩＣカードに接続するための装置を説明、並びに示している。前記カードは、これの下側の主面に導電パッドを有しており、前側横エッジと後側横エッジとによって長手方向で境界付けされている。
【０００４】
このタイプの装置は、キャビティを規定しているケージングを有し、このキャビティの開口した後側端部は、カードを、後方から前方へと長手方向にキャビティ中へと、少なくとも部分的に導入可能であり、前記ケージングは、上面が上を向いた状態の絶縁材料で形成された下側プレートと、水平な上側プレートが設けられた上側カバーとを有している。
【０００５】
また、この装置は、前記下側プレートによって支持された電気的なコンタクト部材を有し、これら部材のコンタクト端部は、カードのパッドと協働するように、前記キャビティ中へと、前記上面の上方に延びている。
【０００６】
さらに、この装置は、前記キャビティからカードＣを取り出すためのスプリングを有し、このスプリングは、主突出ストランドを有し、このストランドの動作端部は、前記キャビティから後方へとカードを押し出すように、カードの前側横エッジの側面部と協働するように、キャビティ中に位置されている。
【０００７】
そして、この装置は、前記突出スプリングによってカードに適用された突出力に抗して、キャビティ中のカードを保持するための手段を有している。
【特許文献１】米国特許６３８２９９５号
【発明の開示】
【発明が解決しようとする課題】
【０００８】
前記文献は、コネクタ中でのカードの保持手段と、自動的なカードの取り出しとを一体化させるという効果を有した、様々な実施の形態を提案している。
【０００９】
提案されたすべての実施の形態において、すべての突出スプリングは、キャビティ中に常時位置されており、このキャビティが、特に、カードのディメンション、特に、カードの長さのディメンションよりかなり大きな、装置の全体的なディメンションを形成するという欠点を有している。
【課題を解決するための手段】
【００１０】
このような欠点を改良するために、本発明は、突出スプリングの本体が、前記カバー上のケージングの外側に位置されていることと、カバーの上側プレートが、ほぼ垂直方位の、主突出ストランドの一部が通過するためのスロットを有していることとを特徴とする装置を提案している。
【００１１】
そして、主突出ストランドの一部は、キャビティ内に収容されており、カードの挿入位置で、装置の最も大きな前側のディメンションは、カードの前側横エッジの位置にほぼ対応しており、このエッジに、主突出ストランドの厚さが加えられる。
【００１２】
本発明の異なる特徴に係われば、突出スプリングは、螺旋状に巻かれたスプリングであり、このスプリングの本体は、上側プレートの上面に隣接した、円環状の水少なくとも１つの平輪部を有している。
【００１３】
従って、このスプリングの本体は、コンパクトなスプリングで、強い突出力を達することが可能である。
【００１４】
本発明の異なる特徴に係われば、前記突出スプリングの本体の、径方向で最も内側の輪部の自由端部は、前記上側プレートに取着されており、径方向で最も外側の輪部の自由端部は、前記主突出ストランドを形成するように、直角部の所で下方へと垂直に前記スロットを通って延ばされている。
【００１５】
前記突出スプリングは、円形断面のワイヤーで形成されたスプリングである。
【００１６】
前記スロットは、端壁によって後方へと長手方向で境界付けされており、この端壁に対して、カードのない状態では、前記主突出ストランドは、弾性的に支持されている。
【００１７】
前記上側プレートは、裁断され、折り曲げられ、並びに/若しくは型打ちされた金属シートの一部である。
【００１８】
前記突出スプリングの本体の径方向で最も内側の輪部の自由端部は、前記上側プレートの受け体中に取着されており、この受け体は、特にプランジボスによって、前記上側プレートと一体的に形成されている。
【００１９】
前記上側プレートは、前記キャビティ中に、挿入位置でカードを保持するための引込み可能な装置を有している。
【００２０】
前記引込み可能な保持装置は、前記上側プレートの弾性変形可能なアームによって支持されている保持リップを有し、このアームは、カードの後側横エッジに面するように常時置かれているストッパーを有し、前記リップは、これを支持しているアームの弾性変形によって、引込み位置に向けて移動可能であり、この引込み位置で、カードは、前記突出スプリングによって少なくとも部分的に長手方向に押し出されることができる。
【００２１】
前記上側カバーは、上側プレートから下方に延び、互いに対向した水平な細長い２つのフランジを有しており、また、前記下側プレートは、これらフランジ間に受けられており、そしてこれらフランジの互いに向き合う内面が、前記キャビティ横方向で規定し、かつカードのための細長いガイド面を構成している。
【００２２】
前記細長いフランジの各々は、前記カバーを前記下側プレートに取着させるための手段を有している。
【００２３】
そして、前記カバーを前記下側プレートに取着させるための手段は、２つの互いに対向した横方向キーを有し、各キーは、対応したフランジのスロットを通って延びており、また、各キーは、前記下側プレートに形成された相補的なホール内で受けられている。
【００２４】
本発明の異なる特徴と効果とは、添付された図面に示されている参照符号の理解のために付随している詳細な説明を読み取ることで、明白となるであろう。
【発明を実施するための最良の形態】
【００２５】
以下の説明では、同一に類似した、即ち同様の部材が、同じ参照符号によって示されているであろう。
【００２６】
明細書及び請求項の理解を容易にするために、添付された図面と、これら図面に示されたＬ，Ｖ，Ｔの座標とに対応する “垂直（ｖｅｒｔｉｃａｌ）”、“水平（ｈｏｒｉｚｏｎｔａｌ）”、“後側（ｒｅａｒ）”、“前側（ｆｒｏｎｔ）”、“下側（ｌｏｗｅｒ）”、“上側（ｕｐｐｅｒ）”、“長手方向（ｌｏｎｇｉｔｕｄｉｎａｌ）”、そして“横方向（ｔｒａｎｓｖｅｒｓｅ）”という用語が、使用されているであろう（しかし、それらは限定するものではない）。
【００２７】
図に示された装置、即ちコネクタ１０は、モールド成形されたプラスチックの水平な下側プレート１２の形態をした下側絶縁支持部と、取着された上側カバー１４と、上側突出スプリング（ｅｊｅｃｔｉｏｎ  ｓｐｒｉｎｇ）１６とから、本質的に構成されている。前記カバー１４は、例えば、裁断され、折り曲げられ、並びに/若しくは型打ちされた金属シートで形成された金属部である。
【００２８】
この装置１０は、例えば、図に示されたＭＩＣＲＯＳＩＭタイプのＩＣカードである、カードＣを受けるようにデザインされている。
【００２９】
前記支持部（下側プレート）１２は、ほぼ矩形の平行六面体のプレートの形状をしたモールド成型品であり、また、下側平面１８と上側プレートの上面２０とによって、垂直方向で境界付けされている。
【００３０】
また、前記下側プレート１２は、長手方向の２つの端部（フランジ）２２，２４によって横方向で境界付けされ、かつ、前側横エッジ２６と後側横エッジ２８とによって長手方向で境界付けされている。
【００３１】
絶縁材料で形成された下側プレート１２は、カードＣの形状に対して相補的な形状を有し、このカードを少なくとも部分的に収容するように意図されているハウジング、即ちキャビティ３０を、取着された上側カバー１４とで規定している。カードＣの下面（下側主面）３２は、カードＣが、装置のキャビティ３０内の挿入位置、即ち接触位置にある時に、下側プレート１２によって支持された接触ブレード３８を構成している複数の接触自由エッジ（コンタクト部材）３６と接している。
【００３２】
前記キャビティ３０は、一般的に、前側と後側とのところで、長手方向に開口している。このキャビティ３０は、前記上側カバー１４の細長い横方向フランジ１００，１０２の、互いに平行に対向した内面１０１，１０３によって、横方向に境界付けされている。これら内面は、カードＣの幅にほぼ対応する（所定の）距離だけ、横方向に離間している。この結果、これら内面は、カードが、後側から前記キャビティ３０中へと、Ｉ方向に沿って前方へと、長手方向に挿入される間に、摺動するカードの、互いに平行に対向した長手方向のエッジ４０，４２を案内する。
【００３３】
前記キャビティは、下側プレート１２の水平な上面２０によって、下方へと垂直方向で境界付けされている。
【００３４】
前記上側カバー１４は、本質的に、水平な上側プレート４６から形成されている。この上側プレートは、ほぼ矩形形状をなし、互いに平行に対向した長手方向の２つのエッジ４８，５０によって、横方向で境界付けされ、そして、前側横エッジ５２と後側横エッジ５４とによって、長手方向で境界付けされている。
【００３５】
前記上側プレート４６の全体的なディメンションは、図７に示されているように、このプレートが、カードＣのほぼ全体を覆うように設定されている。一方、下側プレート１２の、側方エッジ２９，２８間の（下側プレートの）全長は、かなり短く、カードの長さの約１/３である。
【００３６】
前記プレート４６の前側横エッジ５２は、折り曲げられた前側横シート５６によって、下方へと垂直に延びており、このシートの後側内面５８は、長手方向の機械的なストッパー面を構成している。このストッパー面は、前部に向けての長手方向に前記キャビティ３０を規定しており、前記シートに対して、カードＣは、カードの前側横エッジ６０に当接している。この結果、前記シートは、特に、カードＣの下面３２のパッド３４と協働する接触部材を支持している下側プレート１２に対して、装置１０内のカードの挿入及び接触位置を規定している。
【００３７】
また、前記前側横エッジ５２は、折り曲げられたエッジ６２によって、下方へと垂直に延びている。このエッジ６２は、前記キャビティ中３０へのカードＣの挿入の長手方向Ｉに対して、約４５°であるカットコーナ（ｃｕｔ  ｃｏｒｎｅｒ）を構成している。この４５°の傾斜は、ＭＩＣＲＯＳＩＭカードの前側横エッジ６０に形成された、標準化されたカットコーナ６４の傾斜に対応している。従って、４５°に折り曲げられたエッジ６２は、装置１０中へのカードＣの正しい向きと方位とのための偏り手段（ｐｏｌａｒｉｚａｔｉｏｎ  ｍｅａｎｓ）を構成している。
【００３８】
前記折り曲げられたエッジ６２と、横シート５６とは、エッジ５２の全横幅に渡っては延びてはおらず、このシート５６の自由端部は、カットアウト、即ちスロット６６を有している。このスロット６６は、前方に向けて長手方向に形成されており、まっすぐな細長いエッジ６８と、凸の弓形の細長いエッジ７０とによって、横方向に対して境界付けされている。これら２つのエッジ６８，７０の後端は、凹型半円の形状の後側横エンドエッジ７２によって、互いに接続されており、このエンドエッジは、長手方向の後方へとスロット６６を規定している。
【００３９】
前記キャビティ３０中にカードＣを保持するための引込み可能な手段７４が、ここでは保持スパー（ｒｅｔｅｎｔｉｏｎ  ｓｐｕｒ）、即ち、保持リップ７６により構成されている。このリップは、キヤリアアーム８０の後側自由端部（ストッパー）７８に配置されており、このアームは、上側カバー１４の上側プレート４６と一体的に形成されている。
【００４０】
詳細には、前記キヤリアアーム８０は、上側プレート４６の一部であり、また、このプレートの、互いに平行な直線状の細長いスロット８２，８４によって形成されている。これらスロットは、上側プレート４６の後側横エッジ５４から、前方へと延びている。
【００４１】
前記Ｌ型の保持リップ７６は、また、アーム８０の後側自由端部７８と一体的に形成されており、このリップは、自由端部に対して水平に接続されている。
【００４２】
前記カードが自由な状態で、挿入された接触位置にある時、前記保持リップ７６は、上側プレート４６の内側下面８６の平面より下方に伸びている。この結果、前記リップの前側横エッジは、前記キャビティ３０中へと垂直方向に延び、カードＣの後側横エッジ９０に面するストッパーファセット（ｓｔｏｐ  ｆａｃｅｔ）を構成している。
【００４３】
前記キヤリアアーム８０は、弾性変形可能なビームの状態で作用し、このビームは、キヤリアの自由な静止状態から、特に上方へと、垂直に曲がることができる。キヤリアアーム８０の「ヒンジ」は、アーム８０の前側基部近くに位置された領域９２により構成されている。
【００４４】
前記キヤリアアームの自由な静止状態から、アームの弾性変形を意図的に生じさせるために、このアームには、前記保持リップ７６を超えて後方へと長手方向に延びている把持、即ち駆動タブ９４が設けられている。
【００４５】
従って、前記把持、即ち駆動タブ９４は、キヤリアアーム８０を、従って、引込み可能な保持リップ７６を垂直方向に上げることができる。この結果、リップは、カードＣが、装置１０内の所定の位置にある時に、カードＣの後側横エッジ９０に面するように前記キャビティ３０の内側へと、垂直方向に延びることはない。
【００４６】
前記キヤリアアーム８０の後側自由エンドエッジ９８が、面取り部、即ち傾斜したコーナの形態をした、カム形状体を構成している。このエッジは、カードＣが、後方から前方へと長手方向に挿入される時に、カードの前側横エッジ６０と協働して、キヤリアアーム８０の弾性変形によって、前記保持リップ７６を自動的に移動させる。
【００４７】
特に、前記メタルカバー１４を、図２ないし５及び７に特に示されているカバーの装着位置で、絶縁支持部１２に装着及び取着させるために、カバー１４は、折り曲げられた細長い横方向フランジ１００，１０２を有している。これらフランジは、上側プレート４６の細長いエッジ４８，５０から下方へと垂直に、下側プレート１２の外側垂直長手方向面（フランジ）２２，２４に沿って延びている。
【００４８】
前記フランジ１００，１０２の細長い下側エッジ１０６，１０８は、外側へと横方向に延びている水平なタブ１１０，１１２を有している。これらタブは、前記カバー１４を、従って装置１０を、はんだ、若しくは蝋付けによって、図に示されていないプリント基板（ＰＣＢ）の上面に取着させるためのタブである。
【００４９】
また、前記カバー１４の側面（横方向）フランジ１００，１０２は、これらの半ば後方に、コンタクト部材を支持している下側プレート１２を装着及び取着するための２つのタブ１１４，１１６を有している。
【００５０】
各装着タブ１１４は、これの下側長手方向エッジ近くに、各装着タブ１１４が、細長い方向付けの水平スロット１１８，１２０を有している。この装着タブの各スロットは、下側プレート１２を装着及び取着するためのキー１２２，１２４の通過を可能にしている。前記下側プレートの外側側面フランジ２２，２４は、下側プレート１２を構成している絶縁プラスチック基部をモールド成型した時に形成された相補的なホール１２６，１２８を有している。
【００５１】
従って、キャップ、即ちカバー１４が、下側プレート１２に装着及び取着されるために、カバー１４が、図３を考えた時に、下方へと垂直方向に、下側プレート１２の上面に位置され、そして、前記キー１２２，１２４が、ホール１２６，１２８中に収容されるように、これらスロット１１８，１２０を通って、垂直方向に挿入される。ホール１２６，１２８中に収容される。各キーの平行移動は、キーの横エッジの各々に形成され、対応するホール１２６，１２８に「捕らえられる」かかり（ｂａｒｂｓ）によって防止される。
【００５２】
下側プレート１２/カバー１４の組立て動作は、一体的に形成されるように、装置１０が、電気装置のプリント基板（ＰＣＢ）に装着される前に、実行可能である。
【００５３】
また、この装着動作は、最初に、下側プレート１２をプリント基板に、はんだ、若しくは蝋付けにより既知の方法で取着させ、下側プレート１２の上にカバー１４を位置させ、そして、カバー１４をキー１２２，１２４によって装着させることから果たされ得る。
【００５４】
各側面フランジ１００，１０２は、これらの後側長手方向エッジに、ブランチ（ｂｒａｎｃｈ）１３０，１３２を有している。これらブランチは、キャビティ３０中へのカードの挿入を容易にするように、カードを案内するための摺動面を構成するように、横方向内側へと折り曲げられ、かつ水平面に対して下方へと傾斜している。
【００５５】
最後に、前記カバー１４は、これの右前側長手方向エッジに、細長いタブ１３４を有している。このタブは、横方向内側に折り曲げられており、挿入位置でのカードＣの存在を検出するためのスイッチの可動コンタクトを構成するように、カードＣの前側横エッジの動作を受けて垂直方向に移動可能である。
【００５６】
この目的のために、前記可動コンタクト１３４は、ランプ部１３８を有しており、このランプ部と、カードの端部（前側横エッジ）６０は協働する。即ち、コンタクト部の前側自由エンドエッジ１３８は、カードが存在している時に、プリント基板（ＰＣＢ）上の対応するトラックとコンタクトすることが可能である。このプリント基板上で、装置１０は、電気的なスイッチングウェイブ（ｓｗｉｔｃｈｉｇ  ｗａｖｅ）を確立するように設けられている。
【００５７】
前記タブ１３４は、前記キャリアアーム８０と同様に、回動軸が、タブの後側長手方向エッジ１４０に位置されている電気的な細長いビームの状態で動作する。
【００５８】
本発明の教示に従えば、装置１０のキャビティ３０から外にカードを押し出すためのスプリング１６は、円形の断面のワイヤーが曲げられて形成されたスプリングである。また、このスプリングは、装置１０の外側に、つまり、カバー１４の上側プレート４６上に位置されている。
【００５９】
図に見られ得るように、螺旋状のスプリング１６は、ここでは、完全に円形な２つの輪部を有しており、これら輪部は、同一水平面上に置かれ、上側プレート４６の上面４７に接している。
【００６０】
径方向で最も内側の輪部１４２は、自由端部１４４によって、延ばされている。この自由端部は、径方向の方位を有し、図に示された実施の形態では、スプリング１６の装着位置に、長手方向に向けられている。
【００６１】
この自由端部１４４は、上側プレート４６の前方長手方向エッジ近くのところに形成された相補的な受け体１４６内に、プランジボス（ｐｌｕｎｇｅｄ  ｂｏｓｓ）によって互いにロックされて収容されている。このプランジボスは、互いに平行して切り込まれた２つのスロット、即ち後部１４８と前部１５０とによって境界付けされている。また、このプランジボスは、スプリング１６の構成ワイヤーの円形断面に対して相補的である、半円形断面の上側半ループ１５２を形成するように、上方への引き抜きによって形成されている。
【００６２】
前記受け体１４６のディメンションは、装着位置で、スプリング１６が、カバー１４の上側プレート４６の上面４７に水平にプレスされるように設定されている。
【００６３】
前記装着動作は、ストランド（自由端部）１４４を半ループ１５２中へと挿入させるように、ストランドが前記輪部の面から下方へと弾性変形することで達せられる。そして、このストランドは、挿入されると、最後に、これら輪部が面４７上で支持された時に捕らえられる。
【００６４】
径方向でもっとも外側の第２の輪部１５４は、前方へ向けてほぼ４５°で延びている接続ストランド、即ち部分１５６によって、正接かつ水平方向に延ばされている。前記接続ストランドの自由端部１５８は、輪部が、キャビティ３０中へと下方かつ垂直に延び、スロット６６中に収容されている垂直な主突出ストランド１６２によって、直角、即ち９０°の曲がり部１６０によって延ばされている。
【００６５】
前記スプリング１６のデザインは、装着及び静止位置で、即ちカードＣがない状態で、主突出ストランド１６２の後側凸状円形側壁が、スロット６６の端壁７２を押圧することにより付勢されており、即ち、前記側壁は、これの静止位置に向けて弾性的に常時付勢されている。
【００６６】
前記ストランド１６２の下側自由端部１６４は、突出スプリング１６の動作端部を構成しており、この動作端部と、カードＣの前側横エッジとは、カードが装置１０中に挿入された時に相互作用を果たす。
【００６７】
従って、図７を参照すると、Ｉ方向へのカードの挿入によって、アームキャリアのリップ７４，７６は、最初に、前側横エッジ６０が、スロット６６の端壁７２のディメンションに、従って自由端部１６４に達するまで引込まれる。
【００６８】
そして、使用者は、突出スプリング１６のストランド（下側自由端部）１６４によって与えられた回動力、即ち突出力に抗して、左から右へと、挿入力を与え続ける。前記スプリングは、ストランド１６４が長手方向前方へとさらに押される間に、徐々に締められる。
【００６９】
前記ストランド１６４の移動は、一般的に、後方から長手方向に沿って、また、カットアウト６６の凸円形長手方向エッジ７０の外形に対してほぼ平行な円形弓状の通路に沿って生じる。
【００７０】
挿入の間に、動作部（ストランド）１６４は、また、図７を参照した時に、カードＣの前側横エッジ６０に沿ってわずかに下方に移動する。
【００７１】
この挿入は、カードＣが、図７の点線によって示されたカードの挿入位置に達した時に完了する。この位置では、カードは、後側横エッジ９０に面してあたっているリップ７４，７６によって、この位置に支持されている。
【００７２】
カードは、保持リップ７６を上方へと垂直に曲げることにより、カードＣを後方へと長手方向に取り出すように、前側横エッジ６０と協働する突出スプリング１６の動作部１６４の動作によって自動的に取り出される。
【００７３】
図７に特に見られ得るように、本発明に係わるデザインは、特に、装置１０が、カードの前側横エッジ６０を超えて、前方へと長手方向に延びない程度において、効果的である。即ち、この方向への装置のディメンションは、前側横エッジ６０のカードの位置に対応しており、このエッジに、突出スプリング１６の動作部１６４のワイヤーの直径が、非常に高い突出力を維持させながら加えられる。
【図面の簡単な説明】
【００７４】
【図１】図１は、カードのない状態で示されている、本発明の教示に係わった装置、即ちコネクタを、上方左後側から見た斜視図である。
【図２】図２は、カードが使用位置に挿入されている状態で示されている、図１の装置と類似した図である。
【図３】図３は、図２の装置の主コンポーネントを示す分解斜視図である。
【図４】図４は、図３に示されたコンポーネントの分解下面図である。
【図５】図５は、図２に示された装置の斜視下面図である。
【図６】図６は、カードがない状態の装置を拡大した斜視下面図である。
【図７】図７は、カードが点線で示されている図６の装置の底面図である。
【符号の説明】
【００７５】
Ｃ…カード、１２…下側プレート、１４…上側カバー、１６…突出スプリング、２０…上面、３０…キヤビティ、３２…下面（下側主面）、３４…パッド、３６…コンタクト部材、６０…前側横エッジ、７６…保持リップ、８０…キヤリアアーム、１６２…主突出ストランド、１６４…動作端部
【図１】
2005158745.tif 000003
【図２】
2005158745.tif 000004
【図３】
2005158745.tif 000005
【図４】
2005158745.tif 000006
【図５】
2005158745.tif 000007
【図６】
2005158745.tif 000008
【図７】
2005158745.tif 000009